(57)【要約】  ディスプレイにおける輝度劣化のばらつきを抑える。自発光型の表示素子を用いて情報を表示する表示装置（１）であって、複数色のサブピクセルにより構成されるピクセルを複数配置した表示部（３）、及び表示部（３）の駆動を制御する制御部（２０）を備える。制御部（２０）は、各サブピクセルの累積輝度を記録し、累積輝度間の差分に基づく各サブピクセルの輝度調整量を算出する。制御部（２０）は、表示装置（１）の視聴者が不在になることを検出し、輝度調整量に応じた補正画像を生成し、視聴者の不在中に表示部（３）に補正画像を表示させる。
2014155446.tif 000002
【特許請求の範囲】
【請求項１】
自発光型の表示素子を用いて情報を表示する表示装置であって、
複数色のサブピクセルにより構成されるピクセルを複数配置した表示部、及び
前記表示部の駆動を制御する制御部、
を備え、
前記制御部は、
各サブピクセルの累積輝度を記録し、
前記累積輝度間の差分に基づく各サブピクセルの輝度調整量を算出し、
前記表示装置の視聴者が不在になることを検出し、
前記輝度調整量に応じた補正画像を生成し、
前記視聴者の不在中に前記補正画像を前記表示部に表示させる、
表示装置。
【請求項２】
前記制御部は、航空機のフライト情報に基づき前記視聴者が不在になることを検出する、
請求項１に記載の表示装置。
【請求項３】
前記制御部は、航空機の飛行高度情報に基づき前記視聴者が不在になることを検出する、
請求項１又は２に記載の表示装置。
【請求項４】
人を検出するセンサを更に備え、
前記制御部は、前記センサによる検知に応じて前記視聴者が不在になることを検出する、
請求項１に記載の表示装置。
【請求項５】
操作による入力を受け付ける入力部を更に備え、
前記制御部は、前記入力部による入力に応じて前記視聴者が不在になることを検出する、
請求項１に記載の表示装置。
【請求項６】
前記累積輝度間の差分は、最大値に対する差分又は所定の目標値に対する差分のいずれかである、
請求項１から５のいずれかに記載の表示装置。
【請求項７】
前記輝度調整量は、一定の時間に対する各サブピクセルの輝度又は各サブピクセルの一定の輝度に対する発光時間のいずれかである、
請求項１から６のいずれかに記載の表示装置。
【請求項８】
前記各ピクセルは、Ｒ，Ｇ，Ｂの３つのサブピクセルにより構成される、
請求項１から７のいずれかに記載の表示装置。
【発明の詳細な説明】
【技術分野】
【０００１】
本開示は、表示装置に関し、特に自発光型のディスプレイにより動画や静止画を表示可能な表示装置に関する。
【背景技術】
【０００２】
パーソナルコンピュータや携帯端末の表示装置として、プラズマディスプレイや有機ＥＬ（Electro Luminescence）ディスプレイが使用されている。
自発光型の表示素子を用いディスプレイにおいては、表示素子は、発光量と時間に比例して発光輝度が低下する特性がある。この発光輝度の低下は、発光特性の劣化に起因し、発光特性の劣化が進行すると、同じ駆動条件下でも輝度低下が次第に進行し、初期輝度を維持できなくなる。この発光輝度の低下は、ディスプレイ上一様には進行せず、画面内で発光特性の劣化にばらつきが生じる。これは、同じ画像を継続的に表示し続けることにより表示内容が一様でないこと等が原因である。この輝度劣化のばらつきが視覚的に認識される状態をいわゆる「焼き付き現象」という。【０００３】
このような焼き付き現象の発生を遅らせる手法がいくつか提案されている。（例えば、特許文献１及び特許文献２参照）。
【先行技術文献】
【特許文献】
【０００４】
【特許文献１】特開２０００−１４８１１８号公報
【特許文献２】特開２００３−２６３１３１号公報
【発明の概要】
【発明が解決しようとする課題】
【０００５】
焼き付き現象の発生を遅らせるためには、ディスプレイにおける輝度劣化のばらつきを抑制する必要がある。
本開示は、ディスプレイにおける輝度劣化のばらつきを抑えることに有効である表示装置を提供する。
【課題を解決するための手段】
【０００６】
本開示における表示装置は、自発光型の表示素子を用いて情報を表示する表示装置であって、複数色のサブピクセルにより構成されるピクセルを複数配置した表示部、及び表示部の駆動を制御する制御部を備える。制御部は、各サブピクセルの累積輝度を記録し、累積輝度間の差分に基づく各サブピクセルの輝度調整量を算出する。制御部は、表示装置の視聴者が不在になることを検出し、輝度調整量に応じた補正画像を生成し、視聴者の不在中に表示部に表示させる。
【発明の効果】
【０００７】
本開示における表示装置は、ディスプレイにおける輝度劣化のばらつきを抑えることに有効である。
【図面の簡単な説明】
【０００８】
【図１】実施の形態に係る表示装置の概略構成図
【図２】表示装置の機能ブロック図
【図３】表示装置の動作を示すフローチャート
【図４】補正画像を生成するための調整輝度値を説明するための図
【図５】変形例に係る調整輝度値を説明するための図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者らは、当業者が本開示を十分に理解するために添付図面及び以下の説明を提供するのであって、これらによって特許請求の範囲に記載の主題を限定することを意図するものではない。
【００１０】
説明中で同じ符号、記号、数字は、特に説明が無い限り、同じ構成要素を示すものとする。また、特に説明が無い限り本発明に必須でない構成要素は図示しないものとする。
（実施の形態）
［１−１．表示装置１の構成］
以下、本発明の一実施の形態に係る表示装置１が、輸送機関の１つである航空機内の客室エリアに設置されている事例を挙げて説明する。表示装置１は、視聴時間以外の時間において、ディスプレイの輝度劣化のばらつきを抑えるための所定の補正画像を生成し、表示する。
【００１１】
図１は、表示装置１（表示装置の一例）の全体構成を概略的に示す。表示装置１は、航空機内の各座席に設置された端末表示装置であり、航空システムに含まれるサーバー５からケーブル等を介してデータ（映像コンテンツやフライト情報等）を受信し表示する装置である。
表示装置１は、例えば、制御部２０（制御部の一例）、メモリ２２、データ通信部２３、入力部２４、画像出力部２５、及びディスプレイ３（表示部の一例）を備える。
【００１２】
制御部２０はＣＰＵ等から構成され、メモリ２２、データ通信部２３、入力部２４、画像出力部２５を制御する。制御部２０はまた、ディスプレイ３の駆動を制御する。
メモリ２２は、制御部２０が処理する種々のデータを格納する。データ通信部２３は、航空機内に敷設されたケーブル等を介して制御部２０により生成される情報をサーバー５に送信し、或いはサーバー５からの情報を受信する通信インターフェースである。入力部２４は、操作ボタン、キーボード、マウス、ディスプレイ３に表示されるタッチパネル等の入力手段であり、ユーザの操作により入力された情報を制御部２０に送信する。
【００１３】
ディスプレイ３は、プラズマディスプレイや有機ＥＬディスプレイ等の自発光型の表示素子を用いディスプレイである。ディスプレイ３は、縦横に規則的に並んだ複数のピクセル（画素）から構成される表示エリアを有する。各ピクセルは３つのサブピクセルを備え、各サブピクセルは、ＲＧＢの各色にそれぞれ発光する発光素子を組み込んだサブピクセルから構成される。
【００１４】
制御部２０は、所定のプログラムに従って視聴検出部２１及び補正画像生成部１０の各機能を実行する。以下、図２を参照して表示装置１の制御部２０により実行される機能について説明する。
［１−１−１．視聴検出部２１の構成］
視聴検出部２１は、時間計測部２１１と補正画像表示指令部２１２を有する。時間計測部２１１は、サーバー５から取得されるフライト情報と自身の時間情報に基づき、視聴者が不在になったことを検出する。ここで、視聴者が不在になる時間とは、当該航空機のフライト開始前、フライト終了時等である。
【００１５】
補正画像表示指令部２１２は、時間計測部２１１により例えば航空機のフライト開始前であることや航空機のフライトの終了が検出されたとき、補正画像生成部１０に対して補正画像の表示を指令する。
以下、補正画像生成部１０の機能について説明する。
［１−１−２．補正画像生成部１０の構成］
補正画像生成部１０は、ＲＧＢ信号取得部１１と、出力時間計測部１２と、ＲＧＢ輝度積算部１３と、ＲＧＢ積算輝度記憶部１４と、ＲＧＢ積算輝度比較部１５と、ＲＧＢ輝度調整部１６と、補正画像出力指令部１７とを有する。
【００１６】
ＲＧＢ信号取得部１１は、画像出力部２５によりディスプレイ３に出力されるＲＧＢ信号を取得する。具体的には、ディスプレイ３の各ピクセルを構成する３つのサブピクセル（ＲＧＢ）それぞれに対する輝度値を取得する。
出力時間計測部１２は、画像出力部２５により出力される信号について各サブピクセルによる出力時間を計測する。
【００１７】
ＲＧＢ輝度積算部１３は、ＲＧＢ信号取得部１１により取得された信号の輝度と各サブピクセルによる出力時間とに基づき、各サブピクセルについて出力された輝度を積算し（例えば、輝度×出力時間）、積算輝度値（累積輝度の一例）を算出する。
ＲＧＢ積算輝度記憶部１４は、ＲＧＢ輝度積算部１３により算出された積算輝度値を記憶する。なお、ＲＧＢ積算輝度記憶部１４は、他に設けられたメモリ（例えば、メモリ２２）等の一部に設けてもよい。
【００１８】
ＲＧＢ積算輝度比較部１５は、視聴検出部２１からの指令に応じて、全画面におけるＲＧＢサブピクセルの積算輝度値を比較して最大積算輝度値を算出する
ＲＧＢ輝度調整部１６は、ＲＧＢ積算輝度比較部１５により出力された最大積算輝度値と、各サブピクセルの積算輝度値との差分を算出し、各サブピクセルの調整輝度値（輝度調整量の一例）を算出する。この調整輝度値は、例えば一定の時間に対する輝度（０〜１００％）である。なお、一定の時間とは、例えば表示装置１が作動し且つ視聴者不在時間に相当する時間内であって、予め設定されている時間である。
【００１９】
補正画像出力指令部１７は、上述のように算出された各サブピクセルの調整輝度値に応じた補正画像の出力を画像出力部２５に指令する。補正画像出力指令部１７はまた、補正画像を出力するための一定の時間（補正画像出力時間）が経過したときは補正画像の出力を停止させる。
画像出力部２５が補正画像をディスプレイ３に出力した結果のＲＧＢ信号は、ＲＧＢ信号取得部１１により取得され、ＲＧＢ積算輝度記憶部１４に記憶される積算輝度値に反映される。よって、全てのピクセルのサブピクセル間の積算輝度値の差は軽減されるように更新される。
【００２０】
［１−２．  表示装置１の動作］
図３を参照しながら、表示装置１の動作について説明する。
ステップＳ１０１：表示装置１の電源が入れられ、ディスプレイ３は、制御部２０の指令に応じて情報を表示可能な状態となる。
ステップＳ１０２：制御部２０の補正画像生成部１０のＲＧＢ信号取得部１１により、画像出力部２５を介してディスプレイ３のＲＧＢサブピクセルそれぞれに対する信号量が取得される。同時に、出力時間計測部１２により、各サブピクセルによる出力時間が計測される。ＲＧＢ輝度積算部１３により、ＲＧＢサブピクセルそれぞれに対する輝度値と各サブピクセルによる出力時間とに基づき、各サブピクセルにおいて出力された輝度が積算され（例えば、輝度×出力時間）、ＲＧＢ積算輝度記憶部１４に記憶される。
【００２１】
ステップＳ１０３：視聴検出部２１により視聴者不在時間の到来が検出された場合は、ステップＳ１０４に進む。
ステップＳ１０４：視聴検出部２１からの指令に応じて、ＲＧＢ積算輝度比較部１５により、各サブピクセルの積算輝度値を読み出す。
ステップＳ１０５：ＲＧＢ積算輝度比較部１５は、画面における全てのＲＧＢサブピクセルの積算輝度値のうち最大値を判定し、最大積算輝度値とする。
【００２２】
ステップＳ１０６：ＲＧＢ輝度調整部１６により、算出された最大積算輝度値と各サブピクセルの積算輝度値との差分を算出し、その差分を各サブピクセルの調整輝度値とする。この調整輝度値は、例えば一定の時間に対する輝度（０〜１００％）である。
ステップＳ１０７：補正画像出力指令部１７により、上述のように算出された全てのＲＧＢサブピクセルの調整輝度値に応じた補正画像を出力するよう、画像出力部２５に指令する。
【００２３】
ステップＳ１０８：補正画像出力指令部１７は、補正画像出力時間が終了した場合は、処理を終了するためステップＳ１０９に進む。
ステップＳ１０９：画像出力部２５を介して出力された補正画像について、ステップＳ１０２と同様に、ＲＧＢサブピクセルそれぞれに対する輝度値と各サブピクセルによる出力時間とに基づき、各サブピクセルにおいて出力された輝度が積算され（例えば、輝度×出力時間）、ＲＧＢ積算輝度記憶部１４に記憶される。
【００２４】
ステップＳ１１０：補正画像出力時間が終了する前に電源がＯＦＦになった場合は、処理を終了するため、ステップＳ１０９に進む。
なお、上記動作の流れは一例であり、その手順や処理の数は上記に限定されない。
図４は、上記表示装置１により算出された調整輝度値の例を示したものである。
図４（ａ）の左側は、あるピクセルにおけるＲＧＢサブピクセルの積算輝度値を示す。上記表示装置１により算出された最大積算輝度値が点線で示した値であるとすると、当該ピクセルにおける各ＲＧＢサブピクセルの積算輝度値との差分が算出される。この結果、図４（ａ）の右側に示すように、各サブピクセルの積算輝度値と最大積算輝度値との差分に相当する調整輝度値が補正画像として出力される。
【００２５】
図４（ｂ）の左側は、あるピクセルにおけるＲＧＢサブピクセルの積算輝度値を示す。このピクセルにおいては、Ｇサブピクセルが最大積算輝度値をとっている。よって、図４（ｂ）の右側に示すように、Ｒサブピクセル及びＢサブピクセルについては最大積算輝度値との差分に相当する調整輝度値が算出され、Ｇサブピクセルの調整輝度値は０として補正画像が出力される。
【００２６】
［１−３．効果等］
上記実施の形態によれば、表示装置１は、各サブピクセルについて積算輝度値を算出し、全てのサブピクセルについて積算輝度値と最大積算値との差分に相当する調整輝度値に応じた補正画像を出力するため、各ピクセルの累積輝度を均一化することができる。この結果、各ピクセルにおける発光特性の劣化のばらつきを抑えることができ、ディスプレイ上のいわゆる「焼き付き現象」の発生を遅らせ、画面の質を維持することができる。
【００２７】
上記実施の形態によれば、視聴者の不在を検出して補正画像を出力するため、通常の視聴に影響を及ぼすことなく発光特性の劣化のばらつきを抑えることができる。
上記実施の形態によれば、補正画像を出力した結果のＲＧＢ信号は、ＲＧＢ信号取得部１１により取得される。よって、ＲＧＢ積算輝度記憶部１４に記憶される積算輝度値は、視聴のための画像出力と補正画像の出力とによって常に更新されるため、各サブピクセルの累積輝度の均一化を動的に実行することができる。
【００２８】
［１−４．変形例］
上記実施の形態においては、最大積算輝度値と各サブピクセルの積算輝度値との差分によって調整輝度値を求めていたが、これに限定されない。
図５は、上記表示装置１による調整輝度値の算出の変形例を示す。同図の例においては、ＲＧＢ積算輝度比較部１５は予め決められた目標値（例えば、予め取得した平均的な積算輝度値）を設定し、ＲＧＢ輝度調整部１６は同目標値と各サブピクセルの積算輝度値との差分を調整輝度値とする。図５に示すピクセルの例では、目標値に対してＧサブピクセルの積算輝度値が超過し、Ｒサブピクセル及びＢサブピクセルの積算輝度値が足りない。よって、図５の右側に示すように、Ｒサブピクセル及びＢサブピクセルの積算輝度値と目標値との差分が調整輝度値として算出され、Ｇサブピクセルは０となるように補正画像が出力される。
【００２９】
なお、目標値を超過したＧサブピクセルは、例えば、超過した差分をマイナス値としてＲＧＢ積算輝度記憶部の積算輝度値に反映させてもよい。
（他の実施の形態）
以上、図面を用いて本発明の実施形態を説明したが、本発明の具体的な構成は、前述の実施形態に限られるものではなく、発明の要旨を逸脱しない範囲で種々の変更及び修正が可能である。例えば、次のような変更が可能である。
【００３０】
（１）
上記実施の形態に係る表示装置１においては、ＲＧＢ輝度調整部１６は、一定の時間に対する輝度（０〜１００％）を調整輝度値として算出していたが、これに限定されない。ＲＧＢ輝度調整部１６は、輝度レベルを一定（例えば、１００％）とした場合の発光時間（輝度調整量の一例）であってもよい。この場合、補正画像出力指令部１７は、各サブピクセルの発光時間を制御しつつ補正画像を出力する。
【００３１】
（２）
上記実施の形態において、最大積算輝度値と各サブピクセルの積算輝度値との差分には閾値を持たせてもよい。例えば、図３のステップＳ１０６において、差分が所定の値未満であれば差分がないと判断し、調整輝度値を０としてもよい。
（３）
上記実施の形態においては、表示装置１は、航空機内に設置され、サーバー５に有線接続された端末表示装置を例にしていたがこれに限定されない。例えば、航空機内に設置されたアクセスポイントを介して無線接続可能な無線通信端末（スマートフォンやタブレット端末等）であって、ディスプレイを有するものであってもよい。
【００３２】
また、上記実施の形態に係る表示装置１は、航空機に適用されることを例にしているが、これに限定されず、建物内や戸外で使用される通信端末であってもよい。
表示装置１はまた、プラズマディスプレイや有機ＥＬディスプレイ等の自発光型の表示素子を用いディスプレイを有するテレビ等にも適用できる。
（４）
上記実施の形態においては、補正画像の出力は、表示装置１の視聴時間をフライト情報から予め取得し、視聴時間外を利用して行われているがこれに限定されない。
【００３３】
例えば、フライト情報から飛行高度情報を取得し、一定の高度以下の時（つまり離着陸時であって表示装置１は使用できないとき）を検出したことに応じて、補正画像を出力してもよい。
或いは、表示装置１に焦電センサや着座センサ等の人検出用センサを設け、人を一定時間以上検出しない場合に補正画像を出力するようにしてもよい。
【００３４】
或いは、入力部２４による操作により補正画像を出力するようにしてもよい。
また、入力部２４による操作が一定時間以上なされないことを検出して、補正画像を出力するようにしてもよい。
【産業上の利用可能性】
【００３５】
本開示は、プラズマディスプレイや有機ＥＬディスプレイ等の自発光型の表示素子を用いディスプレイを有する表示装置として適用可能である。
【符号の説明】
【００３６】
１      表示装置（表示装置の一例）
３      ディスプレイ（表示部の一例）
５      サーバー
１０    補正画像生成部
１１    ＲＧＢ信号取得部
１２    出力時間計測部
１３    ＲＧＢ輝度積算部
１４    ＲＧＢ積算輝度記憶部
１５    ＲＧＢ積算輝度比較部
１６    ＲＧＢ輝度調整部
１７    補正画像出力指令部
２０    制御部（制御部の一例）
２１    視聴検出部
２１１  時間計測部
２１２  補正画像表示指令部
２２    メモリ
２３    データ通信部
２４    入力部
２５    画像出力部
【図１】
2014155446.tif 000003
【図２】
2014155446.tif 000004
【図３】
2014155446.tif 000005
【図４】
2014155446.tif 000006
【図５】
2014155446.tif 000007
【手続補正書】
【提出日】平成27年5月13日(2015.5.13)
【手続補正１】
【補正対象書類名】特許請求の範囲
【補正対象項目名】全文
【補正方法】変更
【補正の内容】
【特許請求の範囲】
【請求項１】
自発光型の表示素子を用いて情報を表示する表示装置であって、
複数色のサブピクセルにより構成されるピクセルを複数配置した表示部、及び
前記表示部の駆動を制御する制御部、
を備え、
前記制御部は、
各サブピクセルの累積輝度を記録し、
前記累積輝度間の差分に基づく各サブピクセルの輝度調整量を算出し、
航空機のフライト情報に基づき前記表示装置の視聴者が不在になることを検出し、
前記輝度調整量に応じた補正画像を生成し、
前記視聴者の不在中に前記補正画像を前記表示部に表示させる、
表示装置。
【請求項２】
自発光型の表示素子を用いて情報を表示する表示装置であって、
複数色のサブピクセルにより構成されるピクセルを複数配置した表示部、及び
前記表示部の駆動を制御する制御部、
を備え、
前記制御部は、
各サブピクセルの累積輝度を記録し、
前記累積輝度間の差分に基づく各サブピクセルの輝度調整量を算出し、
航空機の飛行高度情報に基づき前記表示装置の視聴者が不在になることを検出し、
前記輝度調整量に応じた補正画像を生成し、
前記視聴者の不在中に前記補正画像を前記表示部に表示させる、
表示装置。
【請求項３】
人を検出するセンサを更に備え、
前記制御部は、前記センサによる検知に応じて前記視聴者が不在になることを検出する、
請求項１または２に記載の表示装置。
【請求項４】
操作による入力を受け付ける入力部を更に備え、
前記制御部は、前記入力部による入力に応じて前記視聴者が不在になることを検出する、
請求項１または２に記載の表示装置。
【請求項５】
前記累積輝度間の差分は、最大値に対する差分又は所定の目標値に対する差分のいずれかである、
請求項１から４のいずれかに記載の表示装置。
【請求項６】
前記輝度調整量は、一定の時間に対する各サブピクセルの輝度又は各サブピクセルの一定の輝度に対する発光時間のいずれかである、
請求項１から５のいずれかに記載の表示装置。
【請求項７】
前記各ピクセルは、Ｒ，Ｇ，Ｂの３つのサブピクセルにより構成される、
請求項１から６のいずれかに記載の表示装置。
【国際調査報告】
2014155446.tif 000008
2014155446.tif 000009
2014155446.tif 000010